(57)【特許請求の範囲】
【請求項１】
回動筒を回動させることにより本体に設けられた孔に挿入される複数の爪を拡縮摺動させ、この爪により工具を挟持するチャック装置であって、前記本体には環状のラチェット歯が設けられ、また前記回動筒の内方にして前記本体には前記爪と螺合し前記回動筒と共に回動する環状のナット体が被嵌され、また前記ラチェット歯の外方には該ラチェット歯と係止する着脱自在な係止バネ体が配設され、この係止バネ体は前記ナット体の回動に伴い前記ラチェット歯の周囲を回動する状態で設けられ、この係止バネ体は前記ナット体に凹凸嵌合手段により取り付けられ、この凹凸嵌合手段は前記ナット体に設けられた突部により構成され、この突部は前記ラチェット歯と前記係止バネ体との間に配設され、更に前記ラチェット歯と前記係止バネ体が係止した状態及び該ラチェット歯と該係止バネ体との係止が解除した状態を保持する保持部が設けられ、この保持部は、前記係止バネ体と前記回動筒との凹凸嵌合手段であり、前記本体はアルミ若しくはアルミ合金製等の軽量部材で構成され、また、前記孔の内面には硬質にして摩擦係数が可及的に小さいコーティングが施されていることを特徴とするチャック装置。
【請求項２】
回動筒を回動させることにより本体に設けられた孔に挿入される複数の爪を拡縮摺動させ、この爪により工具を挟持するチャック装置であって、前記本体には環状のラチェット歯が設けられ、また前記回動筒の内方にして前記本体には前記爪と螺合し前記回動筒と共に回動する環状のナット体が被嵌され、また前記ラチェット歯の外方には該ラチェット歯と係止する着脱自在な係止バネ体が配設され、この係止バネ体は前記ナット体の回動に伴い前記ラチェット歯の周囲を回動する状態で設けられ、この係止バネ体は前記ナット体に凹凸嵌合手段により取り付けられ、この凹凸嵌合手段は前記ナット体に設けられた突部により構成され、この突部は前記ラチェット歯と前記係止バネ体との間に配設され、更に前記ラチェット歯と前記係止バネ体が係止した状態及び該ラチェット歯と該係止バネ体との係止が解除した状態を保持する保持部が設けられ、この保持部は、前記係止バネ体と前記回動筒との凹凸嵌合手段であり、前記本体はアルミ若しくはアルミ合金製等の軽量部材で構成され、また、前記孔の内面には硬質にして摩擦係数が小さく前記爪を円滑に摺動させるコーティングが施されていることを特徴とするチャック装置。
【請求項３】
請求項１，２いずれか１項に記載のチャック装置において、前記保持部は、前記係止バネ体を所定の位置に保持することで、前記ラチェット歯と前記係止バネ体が係止した状態及び該ラチェット歯と該係止バネ体との係止が解除した状態を保持するように構成したものであることを特徴とするチャック装置。
【請求項４】
回動筒を回動させることにより本体に設けられた孔に挿入される複数の爪を拡縮摺動させ、この爪により工具を挟持するチャック装置であって、前記本体には環状のラチェット歯が設けられ、また前記回動筒の内方にして前記本体には前記爪と螺合し前記回動筒と共に回動する環状のナット体が被嵌され、また前記ラチェット歯の外方には該ラチェット歯と係止する着脱自在な係止バネ体が配設され、この係止バネ体は二つのバネ体から成り、一方の係止バネ体はラチェット歯との係止作用を担うように構成され、他方の係止バネ体は回動筒の位置を保持することで前記一方の係止バネ体の位置を保持する作用を担うように構成され、これらの係止バネ体は前記ナット体の回動に伴い前記ラチェット歯の周囲を回動する状態で設けられ、これらの係止バネ体は前記ナット体に凹凸嵌合手段により取り付けられ、この凹凸嵌合手段は前記ナット体に設けられた突部により構成され、この突部は前記ラチェット歯と前記係止バネ体との間に配設され、更に前記ラチェット歯と前記一方の係止バネ体が係止した状態及び該ラチェット歯と該一方の係止バネ体との係止が解除した状態を保持する保持部が設けられ、この保持部は、前記他方の係止バネ体と前記回動筒との凹凸嵌合手段であり、前記本体はアルミ若しくはアルミ合金製等の軽量部材で構成され、また前記孔の内面には硬質にして摩擦係数が可及的に小さいコーティングが施されていることを特徴とするチャック装置。
【請求項５】
回動筒を回動させることにより本体に設けられた孔に挿入される複数の爪を拡縮摺動させ、この爪により工具を挟持するチャック装置であって、前記本体には環状のラチェット歯が設けられ、また前記回動筒の内方にして前記本体には前記爪と螺合し前記回動筒と共に回動する環状のナット体が被嵌され、また前記ラチェット歯の外方には該ラチェット歯と係止する着脱自在な係止バネ体が配設され、この係止バネ体は二つのバネ体から成り、一方の係止バネ体はラチェット歯との係止作用を担うように構成され、他方の係止バネ体は回動筒の位置を保持することで前記一方の係止バネ体の位置を保持する作用を担うように構成され、これらの係止バネ体は前記ナット体の回動に伴い前記ラチェット歯の周囲を回動する状態で設けられ、これらの係止バネ体は前記ナット体に凹凸嵌合手段により取り付けられ、この凹凸嵌合手段は前記ナット体に設けられた突部により構成され、この突部は前記ラチェット歯と前記係止バネ体との間に配設され、更に前記ラチェット歯と前記一方の係止バネ体が係止した状態及び該ラチェット歯と該一方の係止バネ体との係止が解除した状態を保持する保持部が設けられ、この保持部は、前記他方の係止バネ体と前記回動筒との凹凸嵌合手段であり、前記本体はアルミ若しくはアルミ合金製等の軽量部材で構成され、また前記孔の内面には硬質にして摩擦係数が可及的に小さく前記爪を円滑に摺動させるコーティングが施されていることを特徴とするチャック装置。
【請求項６】
請求項４，５いずれか１項に記載のチャック装置において、前記保持部は、前記他方の係止バネ体を所定の位置に保持することで、前記ラチェット歯と前記一方の係止バネ体が係止した状態及び該ラチェット歯と該一方の係止バネ体との係止が解除した状態を保持するように構成したものであることを特徴とするチャック装置。
【発明の詳細な説明】
【０００１】
【発明の属する技術分野】
本発明は、工具を挟持するチャック装置に関するものである。
【０００２】
【従来の技術及び発明が解決しようとする課題】
最近、チャック装置も軽量化の要求が強く、本体をアルミ等の軽合金で製作することが提案されている。尚、構造としては、本発明の第一実施例と同様である為、図１〜図４を参照して説明する。
【０００３】
例えば次の構造を有する緩み防止機構付きのチャック装置が既に提案されている。
【０００４】
回動筒１を回動させることにより本体２の先端に設けられた孔２ａに挿入される複数の爪３を拡縮摺動させ、該爪３により工具４を挟持するチャック装置であって、本体２には環状のラチェット歯５が設けられ、また回動筒１の内方にして本体２には前記爪３と螺合し前記回動筒１と共に回動する環状のナット体６が被嵌され、また前記ラチェット歯５の外方には該ラチェット歯５と係止する着脱自在な係止バネ体７が配設され、この係止バネ体７は前記ナット体６の回動に伴いラチェット歯５の周囲を回動する状態で設けられ、この係止バネ体７はナット体６に凹凸嵌合手段により取り付けられ、更にラチェット歯５と係止バネ体７が係止した状態及びラチェット歯５と該係止バネ体７との係止が解除した状態を保持する保持部が設けられた緩み防止機構付きのチャック装置である。
【０００５】
このようなチャック装置の場合、本体をアルミ等の軽合金で製作すると、必然的にラチェット歯も軽合金となる。
【０００６】
これまでは、本体を鉄製とした場合、防錆の観点から、本体にニッケルメッキを施したりしているが、本体をアルミ等の軽合金にした場合、錆の問題はない為、メッキ処理は不要とされていた。
【０００７】
ところが、種々検討したところ、本体をアルミ等の軽合金で製作してもメッキ処理を施さないと、鋼製の係止バネ体とラチェット歯との反復継続的な係合により、ラチェット歯が磨耗し、緩み防止機構が働かなくなるという問題点を確認し、更に、本体の表面をコーティングした場合、本体の孔の内面にもコーティングが施され、これにより秀れた効果が奏されることも確認した。
【０００８】
本発明は、上記の問題点を解決したこれまでにない画期的なチャック装置を提供するものである。
【０００９】
【課題を解決するための手段】
添付図面を参照して本発明の要旨を説明する。
【００１０】
回動筒１を回動させることにより本体２に設けられた孔２ａに挿入される複数の爪３を拡縮摺動させ、この爪３により工具４を挟持するチャック装置であって、前記本体２には環状のラチェット歯５が設けられ、また前記回動筒１の内方にして前記本体２には前記爪３と螺合し前記回動筒１と共に回動する環状のナット体６が被嵌され、また前記ラチェット歯５の外方には該ラチェット歯５と係止する着脱自在な係止バネ体７が配設され、この係止バネ体７は前記ナット体６の回動に伴い前記ラチェット歯５の周囲を回動する状態で設けられ、この係止バネ体７は前記ナット体６に凹凸嵌合手段により取り付けられ、この凹凸嵌合手段は前記ナット体６に設けられた突部６ａ，６ｂ，６ｃ，６ｄにより構成され、この突部６ａ，６ｂ，６ｃ，６ｄは前記ラチェット歯５と前記係止バネ体７との間に配設され、更に前記ラチェット歯５と前記係止バネ体７が係止した状態及び該ラチェット歯５と該係止バネ体７との係止が解除した状態を保持する保持部が設けられ、この保持部は、前記係止バネ体７と前記回動筒１との凹凸嵌合手段であり、前記本体２はアルミ若しくはアルミ合金製等の軽量部材で構成され、また、前記孔２ａの内面には硬質にして摩擦係数が可及的に小さいコーティングが施されていることを特徴とするチャック装置に係るものである。
【００１１】
また、回動筒１を回動させることにより本体２に設けられた孔２ａに挿入される複数の爪３を拡縮摺動させ、この爪３により工具４を挟持するチャック装置であって、前記本体２には環状のラチェット歯５が設けられ、また前記回動筒１の内方にして前記本体２には前記爪３と螺合し前記回動筒１と共に回動する環状のナット体６が被嵌され、また前記ラチェット歯５の外方には該ラチェット歯５と係止する着脱自在な係止バネ体７が配設され、この係止バネ体７は前記ナット体６の回動に伴い前記ラチェット歯５の周囲を回動する状態で設けられ、この係止バネ体７は前記ナット体６に凹凸嵌合手段により取り付けられ、この凹凸嵌合手段は前記ナット体６に設けられた突部６ａ，６ｂ，６ｃ，６ｄにより構成され、この突部６ａ，６ｂ，６ｃ，６ｄは前記ラチェット歯５と前記係止バネ体７との間に配設され、更に前記ラチェット歯５と前記係止バネ体７が係止した状態及び該ラチェット歯５と該係止バネ体７との係止が解除した状態を保持する保持部が設けられ、この保持部は、前記係止バネ体７と前記回動筒１との凹凸嵌合手段であり、前記本体２はアルミ若しくはアルミ合金製等の軽量部材で構成され、また、前記孔２ａの内面には硬質にして摩擦係数が小さく前記爪３を円滑に摺動させるコーティングが施されていることを特徴とするチャック装置に係るものである。
【００１２】
また、請求項１，２いずれか１項に記載のチャック装置において、前記保持部は、前記係止バネ体７を所定の位置に保持することで、前記ラチェット歯５と前記係止バネ体７が係止した状態及び該ラチェット歯５と該係止バネ体７との係止が解除した状態を保持するように構成したものであることを特徴とするチャック装置に係るものである。
【００１３】
また、回動筒１を回動させることにより本体２に設けられた孔２ａに挿入される複数の爪３を拡縮摺動させ、この爪３により工具４を挟持するチャック装置であって、前記本体２には環状のラチェット歯５が設けられ、また前記回動筒１の内方にして前記本体２には前記爪３と螺合し前記回動筒１と共に回動する環状のナット体６が被嵌され、また前記ラチェット歯５の外方には該ラチェット歯５と係止する着脱自在な係止バネ体30，31が配設され、この係止バネ体30，31は二つのバネ体から成り、一方の係止バネ体30はラチェット歯５との係止作用を担うように構成され、他方の係止バネ体31は回動筒１の位置を保持することで前記一方の係止バネ体30の位置を保持する作用を担うように構成され、これらの係止バネ体30，31は前記ナット体６の回動に伴い前記ラチェット歯５の周囲を回動する状態で設けられ、これらの係止バネ体30，31は前記ナット体６に凹凸嵌合手段により取り付けられ、この凹凸嵌合手段は前記ナット体６に設けられた突部６ａ，６ｂ，６ｃ，６ｄにより構成され、この突部６ａ，６ｂ，６ｃ，６ｄは前記ラチェット歯５と前記係止バネ体30，31との間に配設され、更に前記ラチェット歯５と前記一方の係止バネ体30が係止した状態及び該ラチェット歯５と該一方の係止バネ体30との係止が解除した状態を保持する保持部が設けられ、この保持部は、前記他方の係止バネ体31と前記回動筒１との凹凸嵌合手段であり、前記本体２はアルミ若しくはアルミ合金製等の軽量部材で構成され、また前記孔２ａの内面には硬質にして摩擦係数が可及的に小さいコーティングが施されていることを特徴とするチャック装置に係るものである。
【００１４】
また、回動筒１を回動させることにより本体２に設けられた孔２ａに挿入される複数の爪３を拡縮摺動させ、この爪３により工具４を挟持するチャック装置であって、前記本体２には環状のラチェット歯５が設けられ、また前記回動筒１の内方にして前記本体２には前記爪３と螺合し前記回動筒１と共に回動する環状のナット体６が被嵌され、また前記ラチェット歯５の外方には該ラチェット歯５と係止する着脱自在な係止バネ体30，31が配設され、この係止バネ体30，31は二つのバネ体から成り、一方の係止バネ体30はラチェット歯５との係止作用を担うように構成され、他方の係止バネ体31は回動筒１の位置を保持することで前記一方の係止バネ体30の位置を保持する作用を担うように構成され、これらの係止バネ体30，31は前記ナット体６の回動に伴い前記ラチェット歯５の周囲を回動する状態で設けられ、これらの係止バネ体30，31は前記ナット体６に凹凸嵌合手段により取り付けられ、この凹凸嵌合手段は前記ナット体６に設けられた突部６ａ，６ｂ，６ｃ，６ｄにより構成され、この突部６ａ，６ｂ，６ｃ，６ｄは前記ラチェット歯５と前記係止バネ体30，31との間に配設され、更に前記ラチェット歯５と前記一方の係止バネ体30が係止した状態及び該ラチェット歯５と該一方の係止バネ体30との係止が解除した状態を保持する保持部が設けられ、この保持部は、前記他方の係止バネ体31と前記回動筒１との凹凸嵌合手段であり、前記本体２はアルミ若しくはアルミ合金製等の軽量部材で構成され、また前記孔２ａの内面には硬質にして摩擦係数が可及的に小さく前記爪３を円滑に摺動させるコーティングが施されていることを特徴とするチャック装置。
【００１５】
また、請求項４，５いずれか１項に記載のチャック装置において、前記保持部は、前記他方の係止バネ体31を所定の位置に保持することで、前記ラチェット歯５と前記一方の係止バネ体30が係止した状態及び該ラチェット歯５と該一方の係止バネ体30との係止が解除した状態を保持するように構成したものであることを特徴とするチャック装置に係るものである。
【００１６】
【発明の作用及び効果】
本発明に係るチャック装置は、爪が摺動する孔の内面に硬質にして摩擦係数が可及的に小さいコーティングが施されているから、爪の摺動が良好となり、それだけ工具の把握力が良好に発揮される。
【００１７】
本発明は、上述のように構成したから、工具を良好に把握できる秀れたチャック装置となる。
【００１８】
【発明の実施の形態】
図１〜４は、本発明を振動や衝撃を付与する所謂ハンマードリル，振動ドリル，ドライバードリル等の電動回動具に使用されるチャック装置に実施した第一実施例を図示したもので、以下に説明する。
【００１９】
本体２にはアルミ，マグネシウム，チタン及びこれらの合金または合成樹脂若しくは繊維強化樹脂等の軽量部材が採用される。尚、本実施例はアルミ合金製である。
【００２０】
本体２に形成した孔２ａには三本の爪３が傾斜状態で設けられ、この爪３の外面に形成された螺子部３ａと螺合する環状のナット体６が該爪３に被嵌状態で設けられている。
【００２１】
このナット体６は分割ナット体６であって、保形環８により保形されたものである。
【００２２】
本体２には、硬質にして摩擦係数の小さいコーティングが施されている。従って、後記のラチェット歯５，爪３が摺動する孔２ａにもこのコーティングが施される。
【００２３】
このコーティングは、具体的には、硬質で潤滑性が良い「硬質アルマイト」、商品名「タフラム」(三菱マテリアル社製)，商品名「ルブニック」(三菱マテリアル社製)等を使用する。尚、コーティング厚は２μｍ〜６０μｍの範囲が望ましい。
【００２４】
このコーティングにより、本体２は傷つきにくく、また、ラチェット歯５の磨耗も防止され、更に、ラチェット歯５と係止バネ体７との係止及び係止解除も円滑に行なわれ、また、爪３の孔２ａ内での摺動も円滑に行なわれることになる。
【００２５】
尚、ナット体６及び爪３にも上記コーティングを施すと、該ナット体６の回動も円滑に行なわれることになる。
【００２６】
ナット体６には係止バネ体７を該ナット体６に対して、共回り状態で取り付ける突部６ａ，６ｂ，６ｃ，６ｄが４個設けられている。この突部６ａ，６ｂ，６ｃ，６ｄは必須のナット体６に設けられており、特別に該突部６ａ，６ｂ，６ｃ，６ｄを設ける部材を設ける必要がない為、それだけ本実施例は構成が簡易となる。
【００２７】
また、ナット体６の前方にして本体２には係止バネ体７の先端係止部７’と歯合する環状のラチェット歯５が形成されている。この先端係止部７’とラチェット歯５との係合により、ナット体６は一方向にのみ回転可能な状態（逆転不能状態）が現出する。
【００２８】
符号９は鋼球、10は鋼球受けである。この鋼球受け10は弾性を有している為、電動回動具の振動若しくは衝撃トルクにより、回動筒１が締付方向へ必要以上に回動することが防止される。
【００２９】
係止バネ体７は、金属製であり（鉄製や鋼製）、ラチェット歯５の周囲にして回動筒１の内面に支持される状態で配設される。符号１ｂ，１ｅは回動筒１の回転力をナット体６に伝える為の突部である。
【００３０】
係止バネ体７には、図２，３，４に図示したように３つの突部７ａ，７ｂ，７ｃとラチェット歯５と係止する先端係止部７’が設けられ、また、後端部には突部６ｃに当接することでバネ力が良好に発揮される当接部７ｄが設けられている（当接部７ｄの反対側は突部６ｂで受けられる。）。この係止バネ体７の突部７ａ，７ｂと前記ナット体６の突部６ａ，６ｂにより、該係止バネ体７はナット体６と共回り状態に取り付けられる。
【００３１】
本実施例は、係止バネ体７，突部１ｂ，１ｅ及び突部６ａ，６ｂ，６ｃ，６ｄは同一円周上に配されている為、それだけコンパクトな設計が可能となる。
【００３２】
尚、係止バネ体７とナット体６との取り付けは、両者が共回り状態となる構成であれば、上記構成に限られない。
【００３３】
また、回動筒１の内面には係止バネ体７の先端係止部７’とラチェット歯５との係止の解除を確実に行なわせしめる為の介在体１ｃが設けられ、この介在体１ｃの先端テーパー面で先端係止部７’を受け、該先端係止部７’とラチェット歯５との係止（歯合）の解除を確実に行なわせしめる。
【００３４】
また、回動筒１の内面には、係止バネ体７の先端係止部７’を押え込み、該先端係止部７’とラチェット歯５の係止状態を維持する押え込み部１ｄが設けられている。
【００３５】
ナット体６には先端が本体２に受けられる回動筒１が被嵌され、この回動筒１はナット体６と共に回動するが、ナット体６の回動に所定の負荷がかかった際、ナット体６に対して所定角度だけ回動するように構成されている。
【００３６】
この回動筒１のナット体６に対しての所定角度の回動は、突部６ａと突部６ｂの間であり、具体的には、図３中のＬである。よって、回動筒１が回動し、負荷が作用すると回動筒１の突部１ａが係止バネ体７のバネ力に抗して突部７ｃを乗り越え、突部１ｂの端面が突部６ｂの端面Ｍに当接して（同様に、突部１ｅの端面が突部６ｄの端面に当接する。）、回動筒１とナット体６とは一体となり、増し締めが行われる。
【００３７】
この突部１ａの存在により該突部１ａがバネ力に抗して係止バネ体７の突部７ｃを乗り越えない限り、回動筒１が弛み方向に回動することはなく、よって、それだけ確実に緩み防止効果が発揮される。尚、係止バネ体７のバネ力、特に突部７ｂから当接部７ｄ間のバネ力と突部１ａ及び突部７ｃとの形状により、緩み防止力を設定できる。
【００３８】
更に、回動筒１（合成樹脂製）の外面には滑り防止凸条が形成され、また、回動筒１は先端が本体２に、後端が本体２に設けられた受け部材11に受けられている。
【００３９】
符号12は回動筒１のＣ字状抜け止めリングである。
【００４０】
第一実施例は上述のように構成したから、次の作用効果を奏する。
【００４１】
爪３で工具４を把持し、回動筒１を回動せしめると、回動筒１に所定の負荷がかかるまでは、回動筒１，ナット体６は一緒に回動し、よって、係止バネ体７もラチェット歯５の周囲を回動する。
【００４２】
回動筒１が所定の位置（爪３が工具４に当接する位置）まで回動すると、該回動筒１に所定の負荷が作用し（図３の状態）、その状態から更に図３中矢印方向にバネ力に抗して回動筒１を回動せしめると、回動筒１がナット体６に対して回動し、係止バネ体７の先端係止部７’を受けている介在体１ｃが移動するとともに回動筒１の押え込み部１ｄが先端係止部７’を押圧して該先端係止部７’はラチェット歯５と係止し、更に、回動筒１の突部１ａが係止バネ体７の突部７ｃを乗り越え（突部７ｃは図３中Ｔ側からＳ側へ位置し）、突部１ｂが突部６ｂの端面Ｍに、また、同様に突部１ｅが突部６ｄに当接して回動筒１とナット体６とは一体となり、更に回動筒１を回動させると、ラチェット歯５に係止している係止バネ体７の先端係止部７’が板バネ作用によりラチェット歯５を一歯ずつ乗り越えて所定のラチェット歯５に係止し（この状態はラチェット歯５により、逆転は生じない。）、回動筒１の回動抵抗が強くなって締まりは完了する（図４の状態）。
【００４３】
尚、一歯ずつ乗り越えている状態は未だ締まりが完了しておらず、締まりが完了すると歯の乗り越えは生じない。
【００４４】
この締まり状態は、突部７ｃと突部１ａにより保持されることになる。
【００４５】
また、この締結状態を解除するには、上記と逆であり、回動筒１を逆回動すると、Ｓ側に位置している突部７ｃは（図４の状態）、突部１ａを乗り越え、更に回動筒１を図４中矢印の方向へ回動させると、押え込み部１ｄによる先端係止部７’とラチェット歯５との係止（歯合）が解除され、更に、介在体１ｃが移動して係止バネ体７の先端係止部７’を持ち上げ、更に回動筒１を回動させることにより工具４の締結は弛むことになる。この状態、即ち、係止バネ体７の先端係止部７’とラチェット歯５との係合が解除した状態も突部７ｃと突部１ａにより保持される。
【００４６】
第一実施例に係るチャック装置は工具４の締結の緩みが確実に防止され簡易構造にして耐久性に富む秀れたチャック装置となる。
【００４７】
また、第一実施例に係るチャック装置は、本体２を軽量部材で形成しているから、軽量であって実用性に秀れ、更に、本体２の表面に前記コーティングが施されているから、切り粉が当ったりしても本体２へ傷が付きにくく、更に、ラチェット歯５にも前記コーティングが施されているから、ラチェット歯５の磨耗が可及的に防止されると共に、係止バネ体７との係止及び係止解除が円滑に行なわれ、また、本体２の孔２ａの内面にも前記コーティングが施されるから、爪３の摺動が円滑となり、よって、工具４の把握が良好に行なわれることになる。特に振動や衝撃を付与する所謂ハンマードリル，振動ドリル，ドライバードリル等は、軸方向や回転方向に振動が断続的に作用するものであり、振動中に爪３と孔２ａの内面とに焼き付きが発生し、爪３の拡縮摺動が不良となることがあるが、本実施例によれば、このような問題点も解決される。
【００４８】
第一実施例の介在体１ｃは係止バネ体７の先端係止部７’が不意にラチェット歯５と歯合しない為のものであるが（従って、介在体１ｃで受けられていない状態、即ち、押え込み部１ｄが先端係止部７’に当接していない状態では、バネの弾性により先端係止部７’はラチェット歯５から離反）、先端係止部７’とラチェット歯５との歯合を強制的に解除させるものとして構成しても良い。
【００４９】
図５〜図７は、本発明の第二実施例を図示したもので、以下に説明する。
【００５０】
第二実施例は、第一実施例の係止バネ体７を二体の係止バネ体30，31で構成したもので、一方の係止バネ体30は、ラチェット歯５との係止作用を担うものであり、また、他方の係止バネ体31は、回動筒１の位置を保持することで、前記係止バネ体30を所定の位置に保持する作用を担うものである。このように第二実施例は第一実施例と異なり、ラチェット歯５との係止作用と、ラチェット歯５との係止状態保持作用及び係止解除状態保持作用とを別々のバネに担わせているものである。その余は第一実施例と同様である。
【００５１】
符号30’は第一実施例の先端係止部７’に相当する部分、符号30ａは第一実施例の突部７ａに相当する部分、符号30ｂは第一実施例の突部７ｂに相当する係止部、符号30ｃは第一実施例の突部７ｃに相当する部分、符号30ｄは突部６ｄとの係止部である。
【図面の簡単な説明】
【図１】  第一実施例の一部を切り欠いた正面図である。
【図２】  第一実施例の要部の分解斜視図である。
【図３】  第一実施例の作動説明に係る図１のＷ−Ｗ断面図である。
【図４】  第一実施例の作動説明に係る図１のＸ−Ｘ断面図である。
【図５】  第二実施例の要部の分解斜視図である。
【図６】  第二実施例の図３に相当する断面図である。
【図７】  第二実施例の図４に相当する断面図である。
【符号の説明】
１  回動筒
２  本体
２ａ  孔
３  爪
４  工具
５  ラチェット歯
６  ナット体
７  係止バネ体
30  係止バネ体
31  係止バネ体
【図１】
0004053301.tif 000002
【図２】
0004053301.tif 000003
【図３】
0004053301.tif 000004
【図４】
0004053301.tif 000005
【図５】
0004053301.tif 000006
【図６】
0004053301.tif 000007
【図７】
0004053301.tif 000008